(57)【要約】【課題】安定的に自立し脚の折畳みが円滑に行われる自立移動型フェンスを提供する。【解決手段】この発明は、長方形又は正方形の本体枠２の少なくとも左右両側の下端に脚フレーム８を水平回動自在にそれぞれ取付け、該脚フレーム８に下向きに突出するキャスター７を付設した移動型フェンスにおいて、上記脚フレーム８を一体的な構造にするとともに上記本体枠２に対して交差方向に且つ側面視逆Ｔ字型となるように開いた状態で安定的な自立姿勢を保持させ、本体枠２方向に沿って閉じた状態で格納姿勢とする。  フェンスは、自立姿勢で本体枠２の前後に突出する複数の脚フレーム８の少なくとも前後いずれかの側を本体枠２の方向に沿って連結リンク１２で連結し、各脚フレーム８が連動して開閉回動する機構とした。【選択図】図４
2016030991.tif 000002
【特許請求の範囲】
【請求項１】
長方形又は正方形の本体枠（２）の少なくとも左右両側の下端に脚フレーム（８）を水平回動自在にそれぞれ取付け、該脚フレーム（８）に下向きに突出するキャスター（７）を付設した移動型フェンスにおいて、上記脚フレーム（８）を一体的な構造にするとともに上記本体枠（２）に対して交差方向に且つ側面視逆Ｔ字型となるように開いた状態で安定的な自立姿勢を保持させ、本体枠（２）方向に沿って閉じた状態で格納姿勢とする自立移動型フェンス。
【請求項２】
自立姿勢で本体枠（２）の前後に突出する複数の脚フレーム（８）の少なくとも前後いずれかの側を本体枠（２）の方向に沿って連結リンク（１２）で連結し、各脚フレーム（８）が連動して開閉回動する機構とした請求項１に記載の自立移動型フェンス。
【請求項３】
本体枠（２）と脚フレーム（８）又は連結リンク（１２）との間を、脚フレーム（８）の回動に沿って下端が平面視で円弧状に揺動するように、外向きに下降傾斜したサポートロッド（１４）で連結し、該サポートロッド（１４）により脚フレーム（８）の回動開閉のガイドと本体枠（２）の自立姿勢の補強を行う機構とした請求項１又は２に記載の自立移動型フェンス。
【請求項４】
背面側に連結リンク（１２）を設けた少なくとも２個の本体枠（２）を折畳み可能に左右方向に連結し、本体枠（２）の連結部の背面側において上記連結リンク（１２）の端部同士を補助リンク（３６）で連結し、本体枠（２）を正面側に折畳み開閉することにより上記脚フレーム（８）が連動して回動し本体枠（２）に対して自動的に開閉作動する機構とした請求項１〜３のいずれかに記載の自立移動型フェンス。
【請求項５】
本体枠（２）の上端に、直立又は前傾又は後傾状態を保持し、前後いずれかの側に下向きに折畳み回動可能で横長の長方形の枠からなる補助枠（３）を回動自在に取付けてなる請求項１〜４のいずれかに記載の自立移動型フェンス。
【請求項６】
サポートロッド（１４）の上端側の回動支点（１６）と脚フレーム（８）側の回動支点（１３）とが本体枠（２）上の同一軸線上に配置され、サポートロッド（１４）の下端側の回動支点（１３）が脚フレーム（８）と連結リンク（１２）との連結支点と同一軸線上に配置されてなる請求項３〜５のいずれかに記載の自立移動型フェンス。
【発明の詳細な説明】
【技術分野】
【０００１】
この発明は例えば道路工事に於ける舗装ハツリ、区画線引工事、路面清掃工事、吹付け工事、植栽、剪定、除草工事、山間道・沿岸道における斜面工事等における発生物の飛散防止用、建物や鉄製品の切断解体時の火花や切断屑の飛散防止用、交通事故時の重傷者等の安置場所の目隠し用、災害被害者の一時避難場所の囲い用、又はその他工事現場等の一時的な目隠しや部外者の侵入防止用等の自立移動型のフェンスに関する。
【背景技術】
【０００２】
従来上記のような用途の仕切りとしては、行き交う通行車輌に対し、それぞれ片側通行に規制の上、作業員にベニヤ板、ブルーシート又はネットを持たせ飛散を防止するか、又はネット枠２面、３面の折り畳み式のものを立てて、飛散防止をすることが多い。
また上記目的に用いる折畳み式のボードやフェンスとしては、特許文献１，２のようにフェンスの前後に突出するキャスター付又は滑り止め付の脚部を設けて安定的な自立を意図したものが公知である。
【先行技術文献】
【特許文献】
【０００３】
【特許文献１】特開２００５−１３９８１７号公報
【特許文献２】特開２０１０−２８１１４８号公報
【発明の概要】
【発明が解決しようとする課題】
【０００４】
しかし上記特許文献１のものは折畳み式で搬送や管理が容易であるが、脚が常に前後方向に突出しているために、その部分が脚部の長さに応じた大きい前後幅をとるため搬送や保管時のサイズやスペースを多く要するという欠点がある。
また特許文献２のものは２枚のフェンスをフェンス枠方向にスライドさせて重ね合わせられ且つ脚部もフェンス枠下端側に折畳みできるために、収納スペースも小さく且つ取扱いも容易である。しかし、このタイプのものは前後の脚部の畳み込みや引出しのための開閉時に、フェンスを他の作業者に保持して安全を図る必要があり（一人作業困難）、前後各別の脚部を各別に開閉する必要があるため作業性が悪いほか、フェンスの自立のための支持が、専ら脚部とその回動軸に依存しているために、回動支点まわりを太く且つガタを少なくするために高い加工精度を要する。
【課題を解決するための手段】
【０００５】
上記課題を解決するための本発明の自立移動型フェンスは、第１に長方形又は正方形の本体枠２の少なくとも左右両側の下端に脚フレーム８を水平回動自在にそれぞれ取付け、該脚フレーム８に下向きに突出するキャスター７を付設した移動型フェンスにおいて、上記脚フレーム８を一体的な構造にするとともに上記本体枠２に対して交差方向に且つ側面視逆Ｔ字型となるように開いた状態で安定的な自立姿勢を保持させ、本体枠２方向に沿って閉じた状態で格納姿勢とすることを特徴としている。
【０００６】
第２に、自立姿勢で本体枠２の前後に突出する複数の脚フレーム８の少なくとも前後いずれかの側を本体枠２の方向に沿って連結リンク１２で連結し、各脚フレーム８が連動して開閉回動する機構としたことを特徴としている。
【０００７】
第３に、本体枠２と脚フレーム８又は連結リンク１２との間を、脚フレーム８の回動に沿って下端が平面視で円弧状に揺動するように、外向きに下降傾斜したサポートロッド１４で連結し、該サポートロッド１４により脚フレーム８の回動開閉のガイドと本体枠２の自立姿勢の補強を行う機構としたことを特徴としている。
【０００８】
第４に、背面側に連結リンク１２を設けた少なくとも２個の本体枠２を折畳み可能に左右方向に連結し、本体枠２の連結部の背面側において上記連結リンク１２の端部同士を補助リンク３６で連結し、本体枠２を正面側に折畳み開閉することにより上記脚フレーム８が連動して回動し本体枠２に対して自動的に開閉作動する機構としたことを特徴としている。
【０００９】
第５に、本体枠２の上端に、直立又は前傾又は後傾状態を保持し、前後いずれかの側に下向きに折畳み回動可能で横長の長方形の枠からなる補助枠３を回動自在に取付けてなることを特徴としている。
【００１０】
第６に、サポートロッド１４の上端側の回動支点１６と脚フレーム８側の回動支点１３とが本体枠２上の同一軸線上に配置され、サポートロッド１４の下端側の回動支点１３が脚フレーム８と連結リンク１２との連結支点と同一軸線上に配置されてなることを特徴としている。
【発明の効果】
【００１１】
以上のように構成される本発明は以上のような効果を奏する。
（１）本体枠の下端に取付けるキャスター付の脚フレームが前後一体なので、一対のキャスターを一操作で同時に回動させて本体枠の自立・格納姿勢に変更することができ、しかもこれらの作業を一人で行うことができる利点がある。
また脚フレームを連結リンクで連結することにより、少なくとも一個の本体フレームのすべての脚フレームを一回操作で回動させて自立姿勢や格納姿勢に変更することが可能となる。
【００１２】
（２）本体枠側を上部支点としたサポートロッドの下部を脚フレーム側に安定揺動自在に連結したことにより、本体枠の立姿勢のサポートと脚フレームのスムースな回動案内が確実に行われ、立姿勢の強固な保持のために脚フレームの回動軸や軸受部を太くしたり精密加工する必要がない。
【００１３】
（３）少なくとも２個の本体枠を左右に並べて連結した場合、フェンスの左右幅の増幅が可能となり且つ両本体枠の連結リンクの隣接端を補助リンクで連結することにより、２つの本体枠を連結部での折畳み開閉動作と同時にすべての脚フレームの開閉が同時に行われるので、操作性が格段に向上する。
【００１４】
（４）本体枠の上端に前後に傾動させて起立可能な補助枠を設けることにより、フェンスの有効面積を増大できるとともに、傾斜姿勢でセットできるので、飛散する処理物の受け止め、風除け、日除け、目隠し等がより効果的に行なわれる。
【００１５】
（５）サポートロッドの上部と脚フレームとの回動支点と、サポートロッドの下部と脚フレーム側の連結リンクとの連結（回動）支点とが、それぞれ同一軸心上に配置されているので、脚フレームと連結リンクの開閉・折畳み動作がスムースで且つ確実に行われる。
【図面の簡単な説明】
【００１６】
【図１】本発明のフェンスの展開設置状態を示す全体正面図である。
【図２】同じく平面図である。
【図３】同じく右側面図である。
【図４】同フェンスの最終折畳み状態を示す右側背面斜視図である。
【図５】同フェンスの脚部と連結リンク及びサポートロッドの取付状態を示す右側背面斜視図である。
【図６】連結された２個のフェンス本体枠間の背面における伸展固定部の機構を示す斜視図である。
【発明を実施するための形態】
【００１７】
図１〜図６は本発明の１実施形態を示し、図１〜図３に示すフェンスは、２台の本体枠２を左右方向に連結し、各本体枠２の上部に前後回動自在に連結した補助枠３を前傾状態で固定させた展開使用状態を示している。
【００１８】
本体枠２は例えばチャンネル状断面のアルミ押出形材又はＦＲＰその他の成形材料からなり、全体として例えば１５００×１２５０ｍｍ程度の横長の長方形（又は正方形でも可）に一体的又は組立てにより形成している。本体枠２の上下方向の中間位置には横ビーム４が架設されて補強されている。また横ビーム４と上部枠との間の左右方向中間位置には、上下方向の補強杆５が取付けられている。そして本体枠２の枠内には樹脂製又は金属製、繊維製の透視可能なネット等からなる防護シート６が張設されている。
【００１９】
上記本体枠２の下枠の底面側にはプレート状又はボックス状で両端がフェンス１の前後に突出する自在キャスター７付の脚フレーム８が、支点軸９を介して左右各側に水平回動自在に取付けられている。キャスター７は回転をロックするロック装置（図示しない）付のキャスターで、図３に示すように支点軸１１を介して脚フレーム８に水平回動自在に取付けられている。
【００２０】
さらに上記脚フレーム８には、左右の脚フレーム８が本体枠２に対して直交する方向から片側に向かって９０°回動して本体枠２に接近し又は一部若しくは全部が重なり合って折畳まれるように、左右方向の連結リンク１２が支点軸１３により連結されている（図３，図５参照）。
【００２１】
また各脚フレーム８と連結リンク１２との支点軸１３と本体枠２の補強杆５との間には、脚フレーム８が開いた開脚状態（フェンス１の自立状態）で、フェンス１の自立を補強するサポートロッド１４が上下端において回動可能に連結させて設けられており、図４，図５に示す１６は補強杆５側の連結支点軸である（各支点軸９，１１，１３の平面的な配置関係は後に詳述する。）。
【００２２】
前記本体枠２の上端には、直立，前傾，後傾状態で起立状態が保持できるように且つ前後いずれかの側に下向きに回動させて折畳み回動可能に、例えば１５００×３００ｍｍ程度の横長の長方形の枠からなる（本体枠２と同幅の）補助枠３がヒンジ１７を介して取付けられている。図示する実施例のものは、前傾姿勢で固定し、後方に折畳む構造となっており、補助枠３の下端のチャンネル状断面の取付枠３ａに下向きに取付けられるセットボルト１８と、本体枠２の上枠に穿設されたねじ孔１９とによって前傾姿勢で締着できる機構となっている。
【００２３】
このセットボルト１８は単純に取付枠３ａに挿通してねじ孔１９に螺合して補助枠３を一定角度に締着してもよいが、セットボルト１８を取付枠３ａにフリー回転できるように軸方向移動を規制することにより、セットボルト１８とねじ孔１９をジャッキ状に構成し、補助枠３を任意な角度で傾斜させてセットすることも可能である。
【００２４】
また補助枠３の左右方向中央には上下方向の補強バー２１が一体的又は取付けて設けられ、正面側には本体枠２と同様な防護シート６が張設されており、さらに補助枠３の上端中央にはアングル状断面の係止爪２２が付設され、補強バー２１の背面側にはフェンス背面側への補助枠３の折畳み状態で上記係止爪２２を蝶ねじ２５等によって係脱自在に係止して締着する係止プレート２３が係止具として回動可能に取付けられている。
【００２５】
本実施例では図１，２，４，６で示すように２基のフェンス１が本体枠２の縦枠同士でヒンジ２４により正面側に向って折畳み回動可能に連結されており、２基のフェンスは図１〜図３で示すように、補強枠３を前傾させてセットし、左右方向に直線状に伸展させた状態で使用可能であり、補助枠３を背面側に折畳んで、係止具２３で係止した状態でヒンジ２４により正面側に折畳み、各本体枠２の外枠に設けたクランプ２６により２基の本体枠２同士を係止した状態で折畳んで搬送、保管できる。
【００２６】
また、２基のフェンス１は上記のように直線状に伸展させて自立状態を安定的に保持して使用するために、図６に示すようにフェンス１の連結部の背面側の本体枠２，２間に伸展固定具２７を設けている。この伸展固定具２７は各本体枠２の横ビーム４の近接端に左右方向に向き合うＣ形断面又はＴ字状の断面空間２８ａを有するレール状の固定プレート２８と、該固定プレート２８の左右方向の空間断面内に遊嵌して左右スライドするプレート状のスライダー２９ａと上記空間断面の外側にあってスライダー２９ａと共に左右スライドし、蝶ねじ３１で固定プレート２８に締着される押えプレート２９ｂとを備えている。
【００２７】
そしてこのスライダー２９ａは固定プレート２８内に突設されたストッパー３２，３２間をスライド移動し、一方の停止位置（図示する例では図６の左側）までスライドさせた状態で蝶ねじ３１により締着することにより、２基のフェンスは直線状に伸展した状態で固定され、他方（背面右側）の停止位置までスライドさせた状態で上記固定状態は解除されて、折畳み又は屈曲可能なフリー状態となる。
【００２８】
上記固定状態と解放状態を左右スライドによって切換え可能にするために、スライダー２９ａと押さえプレート２９ｂの長さをＬとすると、図６の左側のストッパー３２と本体枠２の連結中心までの長さを１／２Ｌに、連結中心と同右側ストッパー３２迄の長さをスライダー２９ａの長さと略同一（又は僅かにそれ以下）に設定されている。３３は各横ビーム４に固定プレート２８を取付けるためのアングル状断面のブラケットである。
【００２９】
さらに上記のように連結された２基のフェンス１，１は折畳み開閉に伴って、伸展状態では脚フレーム８が図２，３に示すようにフェンス１と直交方向に交差してフェンスの自立状態を維持し、折畳み状態では脚フレーム８もフェンス１に沿って折畳み状態での外側（伸展状態での背面側）に沿って自動的に連動して折畳まれる機構を採用している。尚、図４，５に示すように脚フレーム８の上面には、脚フレーム８が折畳み状態から本体枠２と直交する方向に開かれた時点で本体枠２に当接して停止するアングル状のストッパー３４が突設されている。
【００３０】
次にこのフェンス１の折畳みと伸展に伴って脚フレーム８の折畳み開閉する連動機構につき詳述する。
図２，図４に示すように２基のフェンス１の連結リンク１２は、フェンス１の連結部後方で補助リンク３６により各連結支点３７を介して連結されている。その結果、図２の状態から予め補助枠３を後方に反転させて折畳んだ後、左右のフェンス１を正面側に向って矢印ａ方向に折畳み回動させると、補助リンク３６で連結された左右の連結リンクは、各脚フレーム８の連結支点１３を矢印ｂ方向（図２において内向き方向）に回動させ、各連結リンク１２をそれぞれの本体枠２に沿うように折畳み回動して水平方向に平行移動し、同時に各脚フレーム８も連結支点９，１３により図２の矢印ｂ方向に回動し、図４に示すように本体枠２に沿って、少なくともその一部が本体枠２の下部に挿入されるように折畳み回動する。
【００３１】
図４の折畳み状態から左右のフェンス１を矢印ｃ方向に伸展回動させると、連結リンク１２と脚フレーム８は上記矢印ａ，ｂと逆方向（図４の矢印ｄ方向）に連動回動して開状態に戻される。
【００３２】
この時サポートロッド１４も上部連結支点１６を中心にして下部連結支点１３が矢印ｂ方向に捩り回動しながら回動し、連結リンク１２と脚フレーム８の折畳み回動をガイドする。この作動から明らかなようにサポートロッド１４は、フェンス１の自立状態ではフェンス１自体の自立状態を背面側において支えるほか、連結リンク１２と脚フレーム８の開閉回動をガイドする機能を備えている。
【００３３】
上記開閉時の作動をスムースに行わせるために、各連結支点９，１３，１６は図５に示す状態に配置されている。即ち連結された右側フェンスでは、脚フレーム８の連結支点９は脚フレーム８の長さ方向中心Ｏ１より前方（閉状態では右側）位置で且つ幅方向中心Ｏ２より左寄り（閉状態では前方）位置に配置されており、サポートロッド１４の上部連結支点１６は平面視で上記連結支点９と同一位置に設定されている。
【００３４】
また連結リンク１２と脚フレーム８及びサポートロッド１４の下部連結支点１３は、脚フレーム８の長さ方向中心Ｏ１より後方（閉状態では左寄り）位置で幅方向中心Ｏ２より右寄り（閉状態では後方）位置に配置されている。
【００３５】
これらの支点９，１３，１６の配置関係は、２基のフェンス１を連結した場合は、図２に示すように左右対称形の配置となり、このことによって各支点９，１３，１６による開閉回動がスムースに行われ、期待する「開」と「閉」の状態が維持される。
【００３６】
尚、２基の連結されたフェンス１は、上記２形態の開閉状態に限らず、その途中の開状態での使用もあり得るが、この場合は傾斜状態の補助枠３の近接し合う先端同士が互いに干渉し合わないように傾斜角度を変化させ又は、両方の補助枠３の傾斜角度が異なるように設定することにより干渉を防止できる。
【００３７】
上記実施例では、補助枠３を取付けた２基のフェンス左右に連結して使用する場合について説明したが、補助枠３を直立状態でセットしたもの又は補助枠３を設けないものでは、複数のフェンスを平面視でＬ字形に折り曲げて使用することができ、さらに３基、４基の各種フェンスを組合わせて連結し、コ字形その他の形状に自由に折り曲げて使用することが可能である。これらの使用形態ではフェンスの折畳み時に脚フレーム８を連動させて折畳むための連結リンク１２同士を連結しないもの又は連結リンク１２自体を設けないフェンスを一部又は全部に使用することもできる。
【００３８】
尚、上記実施例ではサポートロッド１４は、それ自体の捩り方向の回動をスムースにするために、上下端に水平方向のプレート１４ａ，１４ｂを設けて連結支点１６，１３と連結しているが、このプレート１４ａ，１４ｂはサポートロッド１４に対してビス等で取付けても良い。その他サポートロッド１４と上下の連結支点１６，１３とをユニバーサル軸受やボールジョイント，ボール軸受（いずれも図示しない）を介して連結することもできる。
【符号の説明】
【００３９】
１    フェンス
２    本体枠
３    補助枠
４    横ビーム
６    防護シート
７    キャスター
８    脚フレーム
９，１３，１６，３７  支点軸（連結支点）
１２  連結リンク
１４  サポートロッド
１７  ヒンジ
１８  セットボルト
１９  ねじ孔
２４  ヒンジ
２６  クランプ
２７  伸展固定具
３６  補助リンク
【図１】
2016030991.tif 000003
【図２】
2016030991.tif 000004
【図３】
2016030991.tif 000005
【図４】
2016030991.tif 000006
【図５】
2016030991.tif 000007
【図６】
2016030991.tif 000008